(57)【要約】【課題】  印刷装置の機種を意識することなく、適切に画像を印刷することを可能とする。【解決手段】  印刷動作を規定する各種の制御パラメータの設定値が、印刷装置の機種毎に設定された制御データセットを読み込んで、読み込んだ制御データセットの中から、画像を印刷しようとしている印刷装置に対応する設定値を選択する。次いで、選択した設定値に基づいて印刷制御データを生成し、得られた印刷制御データを印刷装置に供給して画像を印刷する。こうすれば、制御パラメータが印刷装置の機種毎に適切に設定された制御データセットを読み込むだけで、適切な印刷制御データを生成することができるので、印刷装置の機種を考慮しながら制御パラメータを設定することなく、適切に画像を印刷することが可能となる。【選択図】  図１
2006252103.tif 000002
【特許請求の範囲】
【請求項１】
印刷装置が画像を印刷する動作を制御するための印刷制御データを、該印刷装置に供給する印刷制御データ供給装置であって、
前記印刷する動作を規定する各種の制御パラメータの設定値が、前記印刷装置の機種毎に設定された制御データセットを読み込む制御データセット読込手段と、
前記読み込んだ制御データセットの中から、前記画像を印刷しようとしている印刷装置に対応する前記設定値を選択し、該設定値により規定される前記動作に対応した前記印刷制御データを生成した後、該印刷装置に出力する印刷制御データ出力手段と
を備える印刷制御データ供給装置。
【請求項２】
請求項１記載の印刷制御データ供給装置であって、
前記画像を印刷しようとしている印刷装置に対応して選択した前記各種の制御パラメータの設定値を、ひとまとまりの設定値組として記憶する設定値組記憶手段を備える印刷制御データ供給装置。
【請求項３】
請求項２記載の印刷制御データ供給装置であって、
前記制御データセット読込手段は、前記画像の印刷条件が指定された状態で、前記制御データセットを読み込む手段であり、
前記設定値組記憶手段は、前記設定値組を、前記指定された印刷条件によって検索可能に記憶する手段である印刷制御データ供給装置。
【請求項４】
請求項１記載の印刷制御データ供給装置であって、
前記印刷装置は、印刷用紙を所定量ずつ紙送りしながら画像を印刷する装置であり、
前記制御データセット読込手段は、前記制御パラメータの設定値として、前記紙送り量に関する設定値が含まれた各種の設定値を読み込む手段である印刷制御データ供給装置。
【請求項５】
請求項１記載の印刷制御データ供給装置であって、
前記印刷装置は、
印刷用紙の表面側に画像を形成する画像形成手段と、
前記画像の印刷中に前記印刷用紙の裏面側を支える支持部材と、
前記画像形成手段と前記支持部材との間隔を調整する間隔調整手段と
を備えた印刷装置であり、
前記制御データセット読込手段は、前記制御パラメータの設定値として、前記支持部材と前記画像形成手段との間隔に関する設定値が含まれた各種の設定値を読み込む手段である印刷制御データ供給装置。
【請求項６】
請求項１記載の印刷制御データ供給装置であって、
前記印刷装置は、印刷用紙を長手方向に紙送りしながら前記画像を印刷するとともに、該画像の印刷を終了すると該印刷用紙を短手方向に切断することにより、該印刷用紙の未だ画像が印刷されていない部分から、該画像の印刷された部分を切り離す印刷用紙切断手段を備えており、
前記制御データセット読込手段は、前記制御パラメータの設定値として、前記切断の動作に関する設定値が含まれた各種の設定値を読み込む手段である印刷制御データ供給装置。
【請求項７】
請求項１記載の印刷制御データ供給装置であって、
前記画像を表す画像データに所定の画像処理を加えることにより、前記印刷装置で印刷可能なデータ形式に変換する画像処理手段を備え、
前記印刷制御データ出力手段は、前記データ形式が変換された画像データを前記印刷制御データとして出力する手段であり、
前記制御データセット読込手段は、前記制御パラメータの設定値として、前記画像データの補正に関する値が含まれた各種の設定値を読み込む手段である印刷制御データ供給装置。
【請求項８】
印刷装置における画像の印刷動作を規定する各種の制御パラメータが設定された制御データセットを生成する制御データセット生成装置であって、
前記印刷装置の機種が特定された状態で前記各種の制御パラメータの設定値を取得する設定値取得手段と、
前記印刷装置の機種を特定するデータたる機種特定データを取得する機種特定データ取得手段と、
前記取得した各種の制御パラメータの設定値を、前記機種特定データとともに出力する設定値出力手段と
を備える制御データセット生成装置。
【請求項９】
請求項８記載の制御データセット生成装置であって、
前記設定値取得手段および前記機種特定データ取得手段は、前記印刷装置の複数の機種について、前記制御パラメータの設定値と前記機種特定データとをそれぞれ取得する手段であり、
前記設定値出力手段は、前記印刷装置の機種毎に、前記各種の制御パラメータの設定値を前記機種特定データとともに出力する手段である制御データセット生成装置。
【請求項１０】
請求項９記載の制御データセット生成装置であって、
前記設定値取得手段および前記機種特定データ取得手段は、所定の印刷条件における前記制御パラメータの設定値および前記機種特定データを、前記複数の機種毎に、それぞれ取得する手段である制御データセット生成装置。
【請求項１１】
請求項８記載の制御データセット生成装置であって、
前記特定された印刷装置の機種に対して、前記制御パラメータの設定値を共用可能な機種の有無を検出し、該共用可能な機種が存在する場合には、該共用可能な機種についての前記機種特定データたる共用機種特定データを取得する共用機種特定データ取得手段を備え、
前記設定値出力手段は、前記共用機種特定データが取得されている場合には、前記制御パラメータの設定値を、前記機種特定データおよび該共用機種特定データとともに出力する手段である制御データセット生成装置。
【請求項１２】
請求項１１記載の制御データセット生成装置であって、
前記設定値取得手段および前記共用機種特定データ取得手段は、所定の印刷条件における前記制御パラメータの設定値および前記共用機種特定データを、それぞれ取得する手段である制御データセット生成装置。
【請求項１３】
印刷装置が画像を印刷する動作を規定する各種の制御パラメータの設定値を、コンピュータで読み取り可能に記録した記録媒体において、
前記各種の制御パラメータの設定値が記録された第１の領域と、
前記設定値を適用可能な前記印刷装置の機種を特定するための機種特定データが記録された第２の領域と
を備えることを特徴とする記録媒体。
【請求項１４】
請求項１３記載の記録媒体において、
前記機種特定データによって特定される印刷装置の機種に対して、前記制御パラメータの設定値を共用可能な機種についての前記機種特定データが記録された第３の領域を備えることを特徴とする記録媒体。
【請求項１５】
印刷装置が画像を印刷する動作を制御するための印刷制御データを、該印刷装置に供給する印刷制御データ供給方法であって、
前記印刷する動作を規定する各種の制御パラメータの設定値が、前記印刷装置の機種毎に設定された制御データセットを読み込む第１の工程と、
前記読み込んだ制御データセットの中から、前記画像を印刷しようとしている印刷装置に対応する前記制御パラメータの設定値を選択する第２の工程と、
前記設定値により規定される前記動作に対応した前記印刷制御データを生成して、前記印刷装置に出力する第３の工程と
を備える印刷制御データ供給方法。
【請求項１６】
印刷装置が画像を印刷する動作に関する各種の制御パラメータが設定された制御データセットを生成する制御データセット生成方法であって、
前記印刷装置の機種が特定された状態で前記各種の制御パラメータの設定値を取得する工程（Ａ）と、
前記印刷装置の機種を特定するデータたる機種特定データを取得する工程（Ｂ）と、
前記取得した各種の制御パラメータの設定値を、前記機種特定データとともに出力する工程（Ｃ）と
を備える制御データセット生成方法。
【請求項１７】
印刷装置が画像を印刷する動作を制御するための印刷制御データを、該印刷装置に供給する方法を、コンピュータを用いて実現するためのプログラムであって、
前記印刷する動作を規定する各種の制御パラメータの設定値が、前記印刷装置の機種毎に設定された制御データセットを読み込む第１の機能と、
前記読み込んだ制御データセットの中から、前記画像を印刷しようとしている印刷装置に対応する前記制御パラメータの設定値を選択する第２の機能と、
前記設定値により規定される前記動作に対応した前記印刷制御データを生成して、前記印刷装置に出力する第３の機能と
を実現するプログラム。
【請求項１８】
印刷装置が画像を印刷する動作に関する各種の制御パラメータが設定された制御データセットを生成する方法を、コンピュータを用いて実現するためのプログラムであって、
前記印刷装置の機種が特定された状態で前記各種の制御パラメータの設定値を取得する機能（Ａ）と、
前記印刷装置の機種を特定するデータたる機種特定データを取得する機能（Ｂ）と、
前記取得した各種の制御パラメータの設定値を、前記機種特定データとともに出力する機能（Ｃ）と
を実現するプログラム。
【発明の詳細な説明】
【技術分野】
【０００１】
本発明は、印刷装置が画像を印刷する動作を制御するための印刷制御データを生成する技術に関する。
【背景技術】
【０００２】
デジタルカメラなどで撮影した画像やコンピュータなどで作成した各種画像を印刷媒体上に出力する場合、プリンタドライバと呼ばれる専用プログラムを用いて印刷装置の動作を制御することが一般的である。このプリンタドライバには、画像の印刷に際して要求する印刷画質や、印刷速度、印刷媒体の種類など、各種の印刷条件を予め設定登録しておくことが可能であり、プリンタドライバがこれら印刷条件を考慮することにより、適切に印刷装置を制御して画像を印刷することが可能となっている。例えば、印刷条件として予め設定登録されている印刷媒体の中から、ある種類の媒体が選択されたとすると、選択された印刷媒体の種類に応じて、プリンタドライバ内で用いられる各種の制御パラメータが適切な値に設定される。そして、これらの設定値に応じて印刷装置の動作が適切に制御され、その結果、印刷媒体に応じて適切に画像を印刷することが可能となっている。
【０００３】
もちろん、新たに発売された印刷媒体を使用するなど、予め設定登録されていない印刷条件で画像を印刷しようとする場合は、印刷条件を選択するだけで制御パラメータを設定することはできないが、これら制御パラメータの値をプリンタドライバに対して直接設定してやれば、設定登録されていない印刷条件であっても適切に画像を印刷することが可能である。もっとも、プリンタドライバの内部で用いられる各種制御パラメータの値を直接設定するためには、ある程度の知識が必要となるので、必ずしも容易に設定できるわけではない。そこで、印刷条件に応じて制御パラメータに適切な値を容易に設定可能とするために、種々の技術が提案されている（例えば特許文献１、特許文献２など）。
【０００４】
【特許文献１】特開２００２−３０４２８２号公報
【特許文献２】特開２００５−６０５５号公報
【発明の開示】
【発明が解決しようとする課題】
【０００５】
しかし、プリンタドライバは印刷装置のハードウェアに依存する部分が多いため、同じ印刷条件に対しても、制御パラメータの適切な設定値は印刷装置の機種毎に異なっている。このため、プリンタドライバ内で用いられる各種の制御パラメータを設定するに際しては、先ず初めに対応するプリンタの機種を特定するという繁雑な作業が必要となるという問題があった。すなわち、提案されている種々の技術では、こうした点については何ら配慮が払われていないため、実際には、プリンタドライバ内で用いられる制御パラメータに、印刷条件に応じて適切な値を設定することは、依然として困難であるという問題があった。
【０００６】
この発明は、従来の技術が有する上述した課題を解決するためになされたものであり、印刷装置の機種の違いを意識することなく、プリンタドライバ内で用いられる制御パラメータの設定値を、印刷条件に応じて適切に且つ簡便に設定可能とする技術の提供を目的とする。
【課題を解決するための手段】
【０００７】
上述した課題の少なくとも一部を解決するために、本発明の印刷制御データ供給装置は次の構成を採用した。すなわち、
印刷装置が画像を印刷する動作を制御するための印刷制御データを、該印刷装置に供給する印刷制御データ供給装置であって、
前記印刷する動作を規定する各種の制御パラメータの設定値が、前記印刷装置の機種毎に設定された制御データセットを読み込む制御データセット読込手段と、
前記読み込んだ制御データセットの中から、前記画像を印刷しようとしている印刷装置に対応する前記設定値を選択し、該設定値により規定される前記動作に対応した前記印刷制御データを生成した後、該印刷装置に出力する印刷制御データ出力手段と
を備えることを要旨とする。
【０００８】
また、上記の印刷制御データ供給装置に対応する本発明の印刷制御データ供給方法は、
印刷装置が画像を印刷する動作を制御するための印刷制御データを、該印刷装置に供給する印刷制御データ供給方法であって、
前記印刷する動作を規定する各種の制御パラメータの設定値が、前記印刷装置の機種毎に設定された制御データセットを読み込む第１の工程と、
前記読み込んだ制御データセットの中から、前記画像を印刷しようとしている印刷装置に対応する前記制御パラメータの設定値を選択する第２の工程と、
前記設定値により規定される前記動作に対応した前記印刷制御データを生成して、前記印刷装置に出力する第３の工程と
を備えることを要旨とする。
【０００９】
かかる印刷制御データ供給装置および印刷制御データ供給方法においては、印刷装置に印刷制御データを供給するに際して、先ず初めに、制御データセットを読み込む。ここで、制御データセットには、印刷する動作を規定する各種の制御パラメータの設定値が、印刷装置の機種毎に設定されている。次いで、印刷制御データを供給しようとしている印刷装置に対応づけられた制御パラメータの設定値を、読み込んだ制御データセットの中から選択する。次いで、選択した設定値によって規定される動作に対応した印刷制御データを生成して印刷装置に供給する。
【００１０】
こうすれば、制御データセットを読み込ませるだけで、印刷装置に対応づけられた制御パラメータの設定値が選択されて印刷制御データが生成されるので、印刷装置の機種を意識することなく、適切な印刷制御データを供給することが可能となる。
【００１１】
また、こうした印刷制御データ供給装置では、画像を印刷しようとしている印刷装置に対応して選択した各種の制御パラメータの設定値を、ひとまとまりの設定値組として記憶しておくこととしてもよい。
【００１２】
こうすれば、同じ印刷条件で画像を印刷する場合に、制御データセットを再度読み込まなくても印刷制御データを生成して、印刷装置に供給することが可能となるので好ましい。
【００１３】
また、制御データセットを読み込むに際しては、画像の印刷条件が指定された状態で読み込むこととして、印刷条件に対応して選択した設定値は、指定された印刷条件によって検索可能な状態で記憶しておくこととしても良い。
【００１４】
制御パラメータの適切な値は、印刷条件に応じて異なっていることが多いことから、印刷条件が指定された状態で制御データセットを読み込めば、適切な設定値を選択することができる。また、選択した設定値を、印刷条件によって検索可能な状態で記憶しておけば、同じ印刷条件で画像を印刷する場合に、容易に検索することが可能となる。
【００１５】
また、印刷装置が、印刷用紙を所定量ずつ紙送りしながら画像を印刷する装置である場合には、制御パラメータには少なくとも紙送り量に関する設定値を含むこととして、少なくとも紙送り量に関する制御パラメータを含んだ制御データセットを読み込むこととしても良い。
【００１６】
適切な紙送り量は、印刷用紙の種類など印刷条件によって異なるので、少なくとも紙送り量に関する制御パラメータを含んだ制御データセットを読み込んで印刷制御データを生成してやれば、印刷条件に応じて適切に紙送りすることが可能となるので好適である。
【００１７】
また、印刷装置が、印刷用紙の裏面側を支持部材で支えながら、印刷用紙の表面側に画像を印刷するとともに、用紙の表面側に画像を形成する画像形成手段と支持部材との間隔を調整可能な印刷装置である場合には、制御パラメータに、画像形成手段と支持部材との間隔に関する設定値を含めることとしてもよい。そして、この間隔に関する制御パラメータを少なくとも含んだ制御データセットを読み込むことにより、画像形成手段と支持部材との間隔に関する制御パラメータを設定することとしても良い。
【００１８】
印刷用紙の表面側に画像を形成する方法には、例えばインク滴を吐出してインクドットを形成したり、インク紙に形成しておいたインク層を印刷用紙に押しつけて転写したり、あるいはインクを昇華させて印刷用紙に移すなど、種々の方法が存在するが、何れの方法においても、画像形成手段と支持部材との間隔は、印刷用紙の種類など、印刷条件に応じて適切な間隔に設定されていることが好ましい。従って、印刷装置に、画像形成手段と支持部材との間隔を調整する間隔調整手段が設けられている場合は、少なくとも、かかる間隔に関する制御パラメータを含んだ制御データセットを読み込んで印刷制御データを生成してやることで、画像形成手段と支持部材との間隔を、印刷条件に応じて適切に設定することが可能となるので好ましい。
【００１９】
また、印刷装置が、印刷用紙を長手方向に紙送りしながら画像を印刷するとともに、画像の印刷を終了すると印刷用紙を短手方向に切断することによって、印刷用紙の未だ画像が印刷されていない部分から、画像の印刷された部分を切り離す機能を備えている場合には、制御パラメータに、印刷用紙の切断動作に関する設定値を含めることとしてもよい。そして、この切断動作に関する制御パラメータを少なくとも含んだ制御データセットを読み込むことにより、印刷用紙の切断動作に関する制御パラメータを設定することとしても良い。
【００２０】
画像の印刷を終了すると印刷用紙を切断する機能を備えた印刷装置では、印刷用紙の種類など、印刷条件に応じて各種の切断方法を使い分けていることが通常である。従って、少なくとも、印刷用紙の切断動作に関する制御パラメータを含んだ制御データセットを読み込んで印刷制御データを生成してやれば、印刷条件に応じて適切な方法で、印刷用紙を切断することが可能となるので好ましい。
【００２１】
また、画像データに所定の画像処理を加えることにより、印刷装置で印刷可能なデータ形式に変換して、得られた画像データを印刷制御データとして供給する場合には、制御パラメータに、少なくとも画像データの補正値に関する設定値を含めることとしてもよい。そして、この補正値に関する制御パラメータを少なくとも含んだ制御データセットを読み込むことにより、印刷用紙の切断動作に関する制御パラメータを設定することとしても良い。
【００２２】
印刷用紙の種類などの印刷条件によっては、例えば画像データに所定の補正係数を乗算したり、あるいは画像データを所定量だけオフセットさせるなど、印刷条件に応じた補正を画像データに加えてから画像処理を行った方が、より好ましい画像が得られる場合がある。従って、少なくとも、画像データに加える補正に関する制御パラメータを含んだ制御データセットを読み込んで印刷制御データを生成してやれば、印刷条件に応じて、画像データに適切は補正を加えた後に印刷制御データを生成することが可能となるので好ましい。
【００２３】
また、各種の制御パラメータが設定された制御データセットを生成する点に着目すれば、本発明は、制御データセットを生成する装置あるいは、制御データセットを生成する方法として把握することも可能である。すなわち、本発明の制御データセット生成装置は、
印刷装置における画像の印刷動作を規定する各種の制御パラメータが設定された制御データセットを生成する制御データセット生成装置であって、
前記印刷装置の機種が特定された状態で前記各種の制御パラメータの設定値を取得する設定値取得手段と、
前記印刷装置の機種を特定するデータたる機種特定データを取得する機種特定データ取得手段と、
前記取得した各種の制御パラメータの設定値を、前記機種特定データとともに出力する設定値出力手段と
を備えることを要旨とする。
【００２４】
また、上記の制御データセット生成装置に対応する本発明の制御データセット生成方法は、
印刷装置が画像を印刷する動作に関する各種の制御パラメータが設定された制御データセットを生成する制御データセット生成方法であって、
前記印刷装置の機種が特定された状態で前記各種の制御パラメータの設定値を取得する工程（Ａ）と、
前記印刷装置の機種を特定するデータたる機種特定データを取得する工程（Ｂ）と、
前記取得した各種の制御パラメータの設定値を、前記機種特定データとともに出力する工程（Ｃ）と
を備えることを要旨とする。
【００２５】
かかる制御データセット生成装置および制御データセット生成方法においては、印刷装置の機種が特定された状態で、各種の制御パラメータの設定値を取得した後、該印刷装置の機種を特定するための機種特定データとともに、取得した各種制御パラメータの設定値を、制御データセットとして出力する。
【００２６】
このようにして出力された制御データセットを読み込めば、機種特定データによって、印刷装置の機種を特定するとともに、その機種について設定された各種の制御パラメータの設定値を取得することが可能となる。その結果、印刷装置の機種を意識することなく、各種制御パラメータの適切な設定値を取得することが可能となるので好ましい。
【００２７】
また、かかる制御データセット生成装置においては、印刷装置の複数の機種について、制御パラメータの設定値と機種特定データとをそれぞれ取得するとともに、取得した制御パラメータの設定値と機種特定データとを、印刷装置の機種毎に出力することとしてもよい。
【００２８】
このようにして出力された制御データセットを読み込めば、印刷装置の多くの機種に対して、各種の制御パラメータの適切な設定値を取得することができる。このため、より一層、印刷装置の機種を意識することなく制御パラメータに適切な値を設定することができ、延いては、適切に画像を印刷することが可能となる。
【００２９】
また、このように、複数の機種について、制御パラメータの設定値と機種特定データとをそれぞれ取得する場合には、印刷条件についても所定の印刷条件に特定した状態で、制御パラメータの設定値と機種特定データとを取得することとしても良い。
【００３０】
例えば新しく開発された印刷用紙を用いる場合や、稀にしか用いられない特殊な印刷条件など、印刷条件を特定した状態で制御データセットを生成しておけば、特定された印刷条件で画像を印刷する場合でも、制御パラメータに適切な値を設定して、適切に画像を印刷することが可能となるので好ましい。
【００３１】
また、制御データセットの生成にあたっては、次のようにして、機種特定データおよび制御パラメータの設定値に加えて、制御パラメータを共用可能な機種を特定する共用機種特定データも出力することとしても良い。すなわち、特定された印刷装置の機種に対して、制御パラメータの設定値を共用可能な機種の有無を検出する。そして、共用可能な機種が存在する場合には、共用可能な機種についての前記機種特定データたる共用機種特定データを取得して、共用機種特定データを、制御パラメータの設定値および機種特定データとともに出力することとしてもよい。
【００３２】
このような制御データセットを読み込めば、機種特定データに設定されている機種だけでなく、共用機種特定データに設定されている機種についても、制御パラメータに適切な値を設定することができるので好ましい。
【００３３】
また、このように、機種特定データおよび共用機種特定データとともに、制御パラメータの設定値を出力する場合にも、印刷条件を特定した状態で、機種特定データおよび共用機種特定データ、制御パラメータの設定値を取得して、これらを出力することとしてもよい。
【００３４】
こうして印刷条件を特定した状態で制御データセットを生成しておけば、特定された印刷条件で画像を印刷する場合に、制御データセットを読み込むことで、印刷条件に応じて適切な値を制御パラメータに設定することができ、延いては、適切に画像を印刷することが可能となる。
【００３５】
更に、本発明は、これら制御パラメータの設定値が、印刷装置の機種を特定する機種特定データとともに記録された記録媒体として把握することも可能である。すなわち、本発明の記録媒体は、
印刷装置が画像を印刷する動作を規定する各種の制御パラメータの設定値を、コンピュータで読み取り可能に記録した記録媒体において、
前記各種の制御パラメータの設定値が記録された第１の領域と、
前記設定値を適用可能な前記印刷装置の機種を特定するための機種特定データが記録された第２の領域と
を備えることを特徴とする。
【００３６】
このような記録媒体に記録されているデータをコンピュータに読み込めば、印刷装置を制御するための制御パラメータに適切な値を設定することが可能となり、延いては、印刷条件に応じて適切に画像を印刷することが可能となる。また、第２の領域に複数の機種特定データを記録しておけば、これら複数の機種の印刷装置で、適切に画像を印刷することが可能となる。
【００３７】
尚、こうした記録媒体においては、第３の領域を設けておき、この領域に、機種特定データによって特定される印刷装置の機種に対して、制御パラメータの設定値を共用可能な機種についての機種特定データを記憶しておくこととしても良い。
【００３８】
こうすれば、第２の領域あるいは第３の領域のいずれかに記憶された機種の印刷装置で、適切に画像を印刷することが可能となるので好適である。
【００３９】
更に本発明は、上述した印刷制御データの供給方法、あるいはデータセットの生成方法を実現するためのプログラムをコンピュータに読み込ませ、所定の機能を実行させることにより、コンピュータを用いて実現することも可能である。従って、本発明は次のようなプログラム、あるいは該プログラムを記録した記録媒体としての態様も含んでいる。すなわち、上述した印刷制御データの供給方法に対応する本発明のプログラムは、
印刷装置が画像を印刷する動作を制御するための印刷制御データを、該印刷装置に供給する方法を、コンピュータを用いて実現するためのプログラムであって、
前記印刷する動作を規定する各種の制御パラメータの設定値が、前記印刷装置の機種毎に設定された制御データセットを読み込む第１の機能と、
前記読み込んだ制御データセットの中から、前記画像を印刷しようとしている印刷装置に対応する前記制御パラメータの設定値を選択する第２の機能と、
前記設定値により規定される前記動作に対応した前記印刷制御データを生成して、前記印刷装置に出力する第３の機能と
を実現することを要旨とする。
【００４０】
また、上記のプログラムに対応する本発明の記録媒体は、
印刷装置が画像を印刷する動作を制御するための印刷制御データを、該印刷装置に供給するプログラムを、コンピュータで読み取り可能に記録した記録媒体であって、
前記印刷する動作を規定する各種の制御パラメータの設定値が、前記印刷装置の機種毎に設定された制御データセットを読み込む第１の機能と、
前記読み込んだ制御データセットの中から、前記画像を印刷しようとしている印刷装置に対応する前記制御パラメータの設定値を選択する第２の機能と、
前記設定値により規定される前記動作に対応した前記印刷制御データを生成して、前記印刷装置に出力する第３の機能と
をコンピュータを用いて実現するプログラムを記録していることを要旨とする。
【００４１】
更に、上述したデータセット生成方法に対応する本発明のプログラムは、
印刷装置が画像を印刷する動作に関する各種の制御パラメータが設定された制御データセットを生成する方法を、コンピュータを用いて実現するためのプログラムであって、
前記印刷装置の機種が特定された状態で前記各種の制御パラメータの設定値を取得する機能（Ａ）と、
前記印刷装置の機種を特定するデータたる機種特定データを取得する機能（Ｂ）と、
前記取得した各種の制御パラメータの設定値を、前記機種特定データとともに出力する機能（Ｃ）と
を実現することを要旨とする。
【００４２】
また、上記のプログラムに対応する本発明の記録媒体は、
印刷装置が画像を印刷する動作に関する各種の制御パラメータが設定された制御データセットを生成するプログラムを、コンピュータで読み取り可能に記録した記録媒体であって、
前記印刷装置の機種が特定された状態で前記各種の制御パラメータの設定値を取得する機能（Ａ）と、
前記印刷装置の機種を特定するデータたる機種特定データを取得する機能（Ｂ）と、
前記取得した各種の制御パラメータの設定値を、前記機種特定データとともに出力する機能（Ｃ）と
をコンピュータを用いて実現するプログラムを記録していることを要旨とする。
【００４３】
これらのプログラムをコンピュータに読み込んで、上記の各種機能を実現させれば、印刷装置の機種を意識することなく、印刷条件に応じて制御パラメータに適切な値を設定することができ、延いては、適切に画像を印刷することが可能となる。
【発明を実施するための最良の形態】
【００４４】
以下では、上述した本願発明の内容を明確にするために、次のような順序に従って実施例を説明する。
Ａ．実施例の概要  ：
Ｂ．装置構成  ：
Ｃ．印刷制御処理  ：
Ｄ．リモートデータ生成処理  ：
Ｅ．グラフィックデータ生成処理  ：
【００４５】
Ａ．実施例の概要  ：
実施例の詳細な説明に入る前に、図１を参照しながら、実施例の概要について説明しておく。図１は、コンピュータ１０と、プリンタ２０とによって構成された印刷システムを示した説明図である。コンピュータ１０は、プリンタ２０が画像の印刷に伴って行う各種動作を制御するデータ（印刷制御データ）を生成してプリンタ２０に供給し、印刷制御データに従ってプリンタ２０が種々の動作を行うことにより、画像が印刷されるようになっている。
【００４６】
コンピュータ１０にはプリンタドライバと呼ばれる専用のプログラムが搭載されており、印刷制御データは、次のようにしてプリンタドライバによって生成される。先ず、印刷しようとする画像の画像データを、プリンタドライバに供給する。また、例えば印刷媒体の種類や印刷モードなどの印刷条件も、プリンタドライバに予め設定しておく。プリンタドライバ内では、印刷条件に応じて、プリンタ２０の印刷動作を制御するための各種の制御パラメータが適切な値に設定され、これら設定値に基づいて、プリンタ２０の動作状態を設定するデータが生成される。また、画像データには、所定の画像処理が施されてプリンタ２０で印刷可能なデータ形式に変換される。そして、プリンタ２０の動作状態を設定するためのデータと、画像処理が施されてプリンタ２０が実際に画像を形成可能な形式に変換された画像データとが、印刷制御データとしてプリンタドライバからプリンタ２０に供給される。
【００４７】
ここで、プリンタドライバが各種パラメータの適切な値を設定することができない印刷条件に対しては、各種パラメータの適切な設定値を、プリンタドライバに直接設定する必要がある。もっとも、こうした各種パラメータの設定値はプリンタの機種に依存する部分も大きく、たとえ同じ印刷条件に対しても、プリンタの機種によって適切な設定値が異なる値となる場合も多い。そこで図１に例示した印刷システムでは、このような場合、先ずプリンタドライバが、各種の制御パラメータの設定値がプリンタの機種毎に設定されたデータセットを読み込んで、プリンタ２０の機種に該当する設定値を選択する。例えば、図１に示した例では、制御パラメータとしては３つのパラメータが使用されており、データセットには、これら３つの制御パラメータの設定値が、機種Ａ〜Ｄの４種類のプリンタについて記憶されている。すなわち、機種Ａおよび機種Ｃに対しては３つの設定値（ｐ１，ｐ２，ｐ３）が、機種Ｂおよび機種Ｄに対しては（ｐ１，ｐ４，ｐ５）が記憶されている。ここで、図１では、プリンタ２０が機種Ｂのプリンタであるとする。すると、データセットを読み込んだプリンタドライバは、機種Ｂに対応して記憶されている３つの設定値（ｐ１，ｐ４，ｐ５）を選択することになる。また、これに併せて、選択した設定値を、対応する機種とともに記録媒体（フレキシブルディスク、コンパクトディスク、ハードディスクなど）に書き出しておいても良い。
【００４８】
次いで、こうして選択した設定値に基づき、プリンタ２０の動作状態を設定するデータを生成する。もちろん、画像データの画像処理に際しても、選択した設定値を考慮しながら画像処理を行うことも可能である。こうして生成したデータを、印刷制御データとしてプリンタ２０に供給する。こうすれば、データセットを読み込むだけで、プリンタ２０に応じて各種制御パラメータの適切な値を設定することができるので、プリンタの機種の違いを意識することなく、制御パラメータの設定値を適切に且つ簡便に設定することが可能となる。また、選択した設定値を対応する機種とともに記録媒体に書き出しておけば、この記録媒体に記憶されているデータを、データセットとして他のプリンタドライバに読み込ませることで、他のプリンタドライバに対しても、各種制御パラメータの値を適切に且つ簡便に設定することが可能となる。以下では、こうした実施例について詳しく説明する。
【００４９】
Ｂ．装置構成  ：
図２は、印刷制御データをプリンタに供給したり、あるいはデータセットを生成するコンピュータ１００の構成を示す説明図である。コンピュータ１００は、ＣＰＵ１０２を中心に、ＲＯＭ１０４やＲＡＭ１０６などを、バス１１６で互いに接続することによって構成されている。コンピュータ１００には、フレキシブルディスク１２４やコンパクトディスク１２６などからデータを読み込むためのディスクコントローラＤＤＣ１０９や、周辺機器との間でデータの授受を行うために用いられる周辺機器インターフェースＰＩＦ１０８、ＣＲＴ１１４を駆動するためのビデオインターフェースＶＩＦ１１２等が接続されている。ＰＩＦ１０８には、ハードディスク１１８や、後述するプリンタ２００等が接続されている。また、デジタルカメラ１２０や、カラースキャナ１２２等をＰＩＦ１０８に接続すれば、デジタルカメラ１２０やカラースキャナ１２２で取り込んだ画像を印刷することも可能である。また、ネットワークインターフェースカードＮＩＣ１１０を装着すれば、コンピュータ１００を通信回線３００に接続して、通信回線に接続された記憶装置３１０に記憶されているデータを取得することもできる。
【００５０】
図３は、印刷用紙上に画像を印刷するプリンタ２００の概略構成を示す説明図である。プリンタ２００にはシアン，マゼンタ，イエロ，ブラックの４色のインクが搭載されており、それぞれのインクによる４色のインクドットを形成可能なインクジェットプリンタである。尚、以下では、シアンインク，マゼンタインク，イエロインク，ブラックインクを、必要に応じて、それぞれＣインク，Ｍインク，Ｙインク，Ｋインクと略称することがあるものとする。また、以下では、印刷画像はもっぱらインクジェットプリンタを用いて印刷するものとして説明するが、もちろん、インクジェットプリンタに限らず、各色のトナーを用いてドットを形成して画像を印刷するレーザープリンタや、インクを昇華させたり、あるいは熱を加えて転写させるなど、異なる方式でドットを形成して画像を印刷するプリンタに対しても、同様に適用することが可能である。
【００５１】
プリンタ２００は、図示するように、キャリッジ２４０に搭載された印字ヘッド２４１を駆動してインクの吐出およびドット形成を行う機構と、このキャリッジ２４０をキャリッジモータ２３０によってプラテン２３６の軸方向に往復動させる機構と、紙送りモータ２３５によって印刷用紙Ｐを搬送する機構と、ドットの形成やキャリッジ２４０の移動および印刷用紙の搬送を制御する制御回路２６０などから構成されている。
【００５２】
キャリッジ２４０には、Ｋインクを収納するインクカートリッジ２４２と、Ｃインク，Ｍインク，Ｙインクの各種インクを収納するインクカートリッジ２４３とが装着されている。キャリッジ２４０にインクカートリッジ２４２，２４３を装着すると、カートリッジ内の各インクは図示しない導入管を通じて、印字ヘッド２４１の下面に設けられた各色毎のインク吐出用ヘッド２４４ないし２４７に供給される。各色毎のインク吐出用ヘッド２４４ないし２４７は、こうして供給されたインクを用いてインク滴を吐出することにより、印刷媒体上にインクドットを形成する。尚、図３に示したプリンタ２００では、Ｃインク，Ｍインク，Ｙインクについては一つのインクカートリッジ２４３に一体に収納されているものとして説明したが、これらインクをそれぞれ別体に形成された専用のインクカートリッジに収納することも可能である。
【００５３】
制御回路２６０は、ＣＰＵを中心として、ＲＯＭや、ＲＡＭ、周辺機器インターフェースＰＩＦ等に加えて、デジタルデータをアナログ信号に変換するＤ／Ａ変換器等から構成されている。もちろん、ＣＰＵを搭載せずに、ハードウェアあるいはファームウェアによって同様の機能を実現することとしても良い。制御回路２６０は、キャリッジモータ２３０および紙送りモータ２３５の動作を制御することによって、キャリッジ２４０の主走査動作および副走査動作の制御を行う。また、キャリッジ２４０の主走査および副走査に合わせて、適切なタイミングで印字ヘッド２４１を駆動することによってインク滴を吐出する。こうして制御回路２６０の制御の下で、各色のインク吐出用ヘッド２４４ないし２４７から適切なタイミングで各色のインク滴が吐出され、その結果、印刷用紙Ｐ上に各色のインクドットが適切な分布で形成されて、カラー画像が印刷されることになる。
【００５４】
尚、各色のインク吐出ヘッドからインク滴を吐出する方法には、種々の方法を適用することができる。すなわち、ピエゾ素子を用いてインクを吐出する方式や、インク通路に配置したヒータでインク通路内に泡（バブル）を発生させてインク滴を吐出する方法などを用いることができる。また、インクを吐出する代わりに、熱転写などの現象を利用して印刷用紙上にインクドットを形成する方式や、静電気を利用して各色のトナー粉を印刷媒体上に付着させる方式のプリンタを使用することも可能である。
【００５５】
また、キャリッジ２４０がプラテン２３６の軸方向に往復動する動きは、プラテン２３６の上方に設けられた摺動軸２３３によってガイドされており、本実施例のプリンタ２００では、摺動軸２３３を上下させることにより、プラテン２３６に対してキャリッジ２４０を上下に動かすことが可能となっている。すなわち、摺動軸２３３は上下方向に移動可能に構成されており、摺動軸２３３は偏心カム２３８によって支えられている。偏心カム２３８にはモータ２３７が接続されており、モータ２３７を正回転させると、摺動軸２３３が偏心カム２３８によって押し上げられて、その結果、プラテン２３６とキャリッジ２４０との間隔が広くなる。逆に、モータ２３７を逆回転させれば、プラテン２３６とキャリッジ２４０との間隔は狭くなる。モータ２３７の回転方向および回転角度は、制御回路２６０によって制御されている。
【００５６】
前述したように、キャリッジ２４０の底面には各色のインク吐出用ヘッド２４４ないし２４７が設けられているから、プラテン２３６とキャリッジ２４０との間隔を変化させれば、プラテン２３６と各色のインク吐出用ヘッド２４４ないし２４７との間隔（プラテンギャップ）を変化させることができる。従って、制御回路２６０に対して適切なプラテンギャップの値を予め設定しておけば、モータ２３７を適切な角度だけ回転させることにより、プリンタ２００のプラテンギャップを適切に設定することが可能となっている。
【００５７】
また、本実施例のプリンタ２００のキャリッジ２４０には、印刷用紙切断用のカッター２３９が設けられている。通常の状態では、カッター２３９はケース内に引っ込んだ状態となっているが、制御回路２６０の制御の下で突出させることができ、突出状態で２４０を摺動軸２３３に沿って往復動させることにより、印刷用紙を切断することが可能となっている。
【００５８】
図４は、各色のインク吐出用ヘッド２４４ないし２４７の底面に、インク滴を吐出する複数のノズルＮｚが形成されている様子を示した説明図である。図示するように、各色のインク吐出用ヘッドの底面には、各色毎のインク滴を吐出する４組のノズル列が形成されており、１組のノズル列には、４８個のノズルＮｚがノズルピッチｐの間隔を空けて千鳥状に配列されている。これらノズルは、制御回路２６０の制御の下で駆動され、インク滴を吐出することによって印刷用紙上にインクドットを形成する。
【００５９】
以上のようなハードウェア構成を有するプリンタ２００は、キャリッジモータ２３０を駆動することによって、各色のインク吐出用ヘッド２４４ないし２４９を印刷用紙Ｐに対して主走査方向に移動させ、また紙送りモータ２３５を駆動することによって、印刷用紙Ｐを副走査方向に移動させる。制御回路２６０は、キャリッジ２４０の主走査および副走査を繰り返しながら、適切なタイミングでノズルを駆動してインク滴を吐出する。こうすることで、印刷用紙Ｐ上の適切な位置にインクドットが形成されて、その結果、画像が印刷されることになる。こうした動作は、すべてコンピュータ１００から供給される印刷制御データに基づいて、制御回路２６０の制御の下で実行されている。そこで以下では、コンピュータ１００内で印刷制御データを生成してプリンタ２００に供給することにより、プリンタ２００における一連の印刷動作を制御する処理（印刷制御処理）について説明する。
【００６０】
Ｃ．印刷制御処理  ：
図５は、コンピュータ１００内で行われる印刷制御処理の流れを示すフローチャートである。かかる処理は、コンピュータ１００上で動く各種のアプリケーションプログラムから印刷命令が出力されると、プリンタドライバが起動されて、プリンタドライバ上で実行される処理である。以下、フローチャートに従って説明する。
【００６１】
印刷制御処理を開始すると、先ず初めにプリンタドライバは、画像の印刷条件を読み込んで良いか否かを判断する（ステップＳ１００）。画像の印刷条件は、コンピュータ１００のモニタ上に表示された専用画面を用いて設定することが可能となっており、印刷条件の設定が完了したら、その旨を画面上からプリンタドライバに対して指示してやる。すると、プリンタドライバは、画面上に設定されている印刷条件の読み込みを開始するようになっている。そこで、以下では、専用画面から印刷条件を設定する方法、および設定完了をプリンタドライバに指示する方法について説明する。
【００６２】
図６は、プリンタドライバに印刷条件を設定する画面を例示した説明図である。図示した例では、画面の一番上にプリンタ機種が表示されており、その下に、印刷用紙、用紙サイズ、印刷モードなどの各種印刷条件を設定するための設定欄が設けられている。このうち、プリンタ機種についてはプリンタドライバによって自動的に表示されるものであり変更することはできないが、設定欄に表示された内容については画面上から変更することが可能となっている。すなわち、それぞれの設定欄に設けられた矢印をクリックすると、予め登録されている印刷条件が表示され、その中から該当する印刷条件を選択することが可能となっている。例えば、図６に示した例では、印刷用紙の設定欄には「Ａタイプ」が設定されているが、右側の矢印をクリックすると、設定欄に重ねて小さなダイアログボックスが展開して、そのダイアログボックスの中には、予めプリンタドライバに登録されている各種の印刷用紙（例えば「Ａタイプ」，「Ｂタイプ」，「Ｃタイプ」など）が表示される。これらの表示の中から任意の用紙を選択することで、印刷用紙の設定内容を変更することが可能となっている。
【００６３】
また、用紙サイズの設定欄では、「葉書き」サイズ〜「Ａ３」サイズ、「Ａ３・ロール紙」サイズまでのいずれかを選択することが可能である。ここでロール紙とは、いわゆる長尺印刷に対応した印刷用紙である。例えば「Ａ４・ロール紙」とは、Ａ４用紙の横幅（短手方向の幅）と同じ幅の長い紙が、ロール状に巻かれた印刷用紙を表している。また、印刷モードの設定欄では「画質優先」，「速度優先」，「標準」のいずれかの印刷条件を設定することが可能となっている。
【００６４】
これら印刷条件の設定を完了したら、「ＯＫ」と表示されたボタンをクリックすることにより、プリンタドライバに対して設定が完了した旨を指示してやる。「ＯＫ」ボタンがクリックされたことを検出すると、プリンタドライバは、印刷条件を読み込んで良いと判断して（ステップＳ１００：ｙｅｓ）、設定されている各種の印刷条件の読み込みを開始する（ステップＳ１０２）。次いで、読み込んだ印刷条件に対応するリモートデータの取得を行う（ステップＳ１０４）。ここで、リモートデータとは、設定された印刷条件で画像を印刷するためにプリンタ２００に供給されるデータであり、各種の制御パラメータについての設定値が記述されている。制御パラメータについては、後ほど詳しく説明する。リモートデータは、印刷条件に応じて自ずから決定されるデータであることから、プリンタドライバに予め登録されている印刷条件については、対応するリモートデータも予め記憶されている。そこで、ステップＳ１０４では、読み込んだ印刷条件に対応するリモートデータを取得するのである。
【００６５】
もっとも、希望する印刷条件が、いつもプリンタドライバに予め登録されているとは限らない。このような場合には、図６に示した印刷条件の設定画面上で、「詳細設定」と表示されたボタンをクリックする。「詳細設定」ボタンがクリックされたことを検出すると、プリンタドライバは、設定されている印刷条件を読み込んではいけないと判断し（ステップＳ１００：ｎｏ）、詳細な印刷条件を設定する画面を表示させるとともに、リモートデータ生成処理を開始する（ステップＳ１０６）。詳細な内容については後述するが、リモートデータ生成処理では、登録されていない印刷条件に応じて、プリンタ２００の動作を規定する各種制御パラメータに適切な値を設定し、この設定値に基づいてリモートデータを生成する処理を行う。
【００６６】
以上のように、希望する印刷条件がプリンタドライバに予め登録されている場合は、図６に示した専用画面上で印刷条件を選択して「ＯＫ」ボタンをクリックすると（ステップＳ１００：ｙｅｓ）、設定されている印刷条件が読み込まれ（ステップＳ１０２）、対応するリモートデータが取得される（ステップＳ１０４）。一方、希望する印刷条件が登録されていない場合は、図６の画面上で「詳細設定」ボタンをクリックすると（ステップＳ１００：ｎｏ）、後述するリモートデータ生成処理（ステップＳ１０６）が実行され、希望する印刷条件に対応するリモートデータが生成される。
【００６７】
こうして、いずれかの方法によってリモートデータが得られたら、プリンタドライバは、印刷しようとする画像の画像データを読み込んだ後（ステップＳ１０８）、グラフィックデータ生成処理を開始する（ステップＳ１１０）。グラフィックデータ生成処理の詳細な内容については後述するが、この処理では、読み込んだ画像データに対して所定の画像処理を施すことにより、プリンタ２００で印刷可能なデータ形式のデータに変換する処理を行う。すなわち、本実施例のプリンタ２００は、前述したように、印刷媒体上にドットを形成して画像を印刷することから、ドットの形成有無によって画像を表現したデータ形式に、画像データを変換する処理を行う。
【００６８】
以上のようにして、リモートデータおよびグラフィックデータを生成したら、これらをプリンタ２００の印刷動作を制御するためのデータ（印刷制御データ）として出力することにより、画像の印刷を開始する。すなわち、初めにプリンタを初期化するためのコマンドを出力した後（ステップＳ１１２）、リモートデータを出力し（ステップＳ１１４）、続いてグラフィックデータを出力する（ステップＳ１１６）。リモートデータの内容については後述するが、例えばプラテンギャップの設定や紙送り量の補正値など、実際の画像の印刷に先立って設定しておくべく、プリンタ２００の詳細な動作状態が記述されている。また、グラフィックデータには、画素毎にドットを形成するか否かを表すデータが記述されており、プリンタ２００は、このデータに従ってインク滴を吐出することによって画像を印刷する。
【００６９】
そして、グラフィックデータを全て出力し終わったら、今度は、印刷用紙がロール紙か否かを判断する（ステップＳ１１８）。図６を用いて前述したように、印刷用紙がロール紙か否かは予め設定されているので、プリンタドライバは容易に判断することができる。そして、ロール紙と判断された場合は（ステップＳ１１８：ｙｅｓ）、印刷用紙を切断する旨のコマンドをプリンタ２００に向かって出力した後（ステップＳ１２０）、印刷制御処理を終了する。一方、印刷用紙がロール紙ではないと判断された場合は（ステップＳ１１８：ｎｏ）、用紙切断コマンドを出力することなく、直ちに印刷制御処理を終了する。
【００７０】
プリンタドライバは、以上に説明した印刷制御処理を行って、リモートデータおよびグラフィックデータを印刷制御データとしてプリンタ２００に供給する。その結果、プリンタ２００の動作が適切に制御されて、適切に画像が印刷されることになる。また、プリンタドライバに予め登録されていない印刷条件については、以下に説明するリモートデータ生成処理を行うことにより、適切なリモートデータを簡便に生成することが可能となっている。
【００７１】
Ｄ．リモートデータ生成処理  ：
上述したように、プリンタドライバに希望する印刷条件が登録されていない場合は、印刷条件の設定画面から希望する印刷条件を選択することができない。そこで、この場合は、図６に例示の画面上に設けられた「詳細設定」ボタンをクリックする。すると、プリンタドライバは、詳細な印刷条件を設定するための専用画面を表示するとともに、リモートデータ生成処理を開始する（図５のステップＳ１０６）。説明の都合上から以下では、先ず初めに、専用画面上で設定される詳細な印刷条件の内容について説明し、これを受けて、リモートデータ生成処理の内容について説明する。
【００７２】
図７は、詳細な印刷条件を設定するための画面を例示した説明図である。図に例示した画面では、詳細な印刷条件として、「色濃度補正」，「紙送り補正」，「紙厚」，「プラテンギャップ」，「用紙切断方法」といった５つの項目を設定することが可能となっている。ここで「色濃度補正」とは、印刷用紙にインクを打ち込んだときの発色の良し悪しを調整する補正値である。すなわち、発色の悪い印刷用紙に対してはインクを多めに打ち込み、逆に発色の悪い印刷用紙に対してはインクを少なめに打ち込むことで、どのような印刷用紙に対しても同じような印刷画質が得られるように調整するための補正値である。図７に例示した専用画面では、色濃度補正に対応する設定欄にカーソルを移動させて、数値を書き込むことによって、任意の値を設定することが可能となっている。
【００７３】
また、「紙送り補正」とは、副走査のために行われる印刷用紙の紙送り量を調整する補正値である。すなわち、印刷用紙の中には、滑り易いために紙送り量が少なめになってしまう用紙が存在しており、このような用紙については多めに紙送りしてやる必要がある。そこで、「紙送り補正」の設定値を用いて紙送り量を調整することで、どのような印刷用紙でも適切に紙送りすることを可能としている。紙送り補正の設定値についても、該当する設定欄にカーソルを移動させて、数値を書き込むことによって設定することができる。
【００７４】
「紙厚」とは、印刷用紙の厚さを表している。前述したように、印刷用紙はプラテン２３６上に置かれており、その上をインク吐出用ヘッドが往復動しながらインク滴を吐出することによって、印刷用紙上にインクドットを形成している。このため、印刷用紙の紙厚が変わるとインク滴の飛行距離が変わるので、ドットの形成位置が微妙にずれてしまう。そこで、こうした影響をインク滴の吐出タイミングで吸収し、あるいはプラテンギャップ（プラテンとインク吐出用ヘッドとの間の距離）を調整するべく、予め印刷用紙の紙厚を設定しておくのである。印刷用紙の紙厚についても、該当する設定欄にカーソルを移動させて、数値を書き込むことによって設定することが可能となっている。
【００７５】
また、たいへん厚い印刷用紙に印刷する場合や、コンパクトディスクのレーベル面に印刷する場合などには、通常のプラテンギャップの設定では、インク吐出用ヘッドが印刷面を擦ってしまうおそれがある。そこで、このような場合は、キャリッジ２４０をガイドしている摺動軸２３３を上に押し上げることにより、プラテンギャップを広くしておく必要がある。「プラテンギャップ」には、このようなプラテンギャップの状態を設定しておく。プラテンギャップの設定は、設定欄の矢印をクリックしてダイアログボックスを展開し、「標準」または「広い」のいずれかを選択することによって行う。
【００７６】
「用紙切断方法」には、ロール紙が搭載されている場合に、印刷終了後、用紙を切断する方法が設定される。図３を用いて前述したように、キャリッジ２４０にはカッター２３９が搭載されており、カッター２３９を突出させてキャリッジ２４０を往復動させれば、印刷用紙を切断することができる。もっとも、印刷用紙の一端から他端に向かって単純に切断したのでは、切断した部分の用紙が自重で垂れ下がって切断していない部分を引っ張り、このため、カッター２３９の刃と印刷用紙との接触角度が変わって刃が用紙に食い込み難くなり、上手く切断できないことがある。そこで、このような場合には、初回の切断動作では、ところどころの箇所を意図的に切断せずに残しておき、続く切断動作で、残しておいた箇所を切断することによって、最終的に印刷用紙を切断する方法が採用される。実際には、初回の切断動作で切断せずに残しておく箇所を、どこに、どの程度の長さだけ設け、そして、それらの箇所を切断するに際しては、どの箇所から、どの順序で切断すれば良いかは、印刷用紙の種類によって異なっている。用紙切断方法には、こうした各種の設定方法が用意されている。用紙切断方法の設定についても、設定欄の矢印をクリックしてダイアログボックスを展開し、「標準」，「パターン１」，「パターン２」のいずれかを選択することによって行う。
【００７７】
以上に説明した「色濃度補正」、「紙送り補正」、「紙厚」、「プラテンギャップ」、「用紙切断方法」の５つの項目を適切に設定してやれば、たとえ希望の印刷条件がプリンタドライバに登録されていない場合でも、適切に画像を印刷することが可能である。すなわち、図５に示した印刷制御処理において、プリンタ２００に供給されたリモートデータに設定されている各種の制御パラメータとは、具体的には、これら５つの項目を指したものである。
【００７８】
また、前述したように予めプリンタドライバに登録されている印刷条件については、これら各種の制御パラメータについての適切な設定値が記憶されているが、本実施例のプリンタドライバでは、登録されていない印刷条件についても、図７に示した専用画面上から、これらの制御パラメータに適切な値を設定してやることで、適切に画像を印刷することが可能となっているのである。図６に示した印刷条件の設定画面からは希望の印刷条件を選択できなかった場合に、図７のような詳細な印刷条件を設定する画面を表示することとしているのは、このような理由によるものである。
【００７９】
プリンタドライバに希望する印刷条件が登録されておらず、このため図６に示した印刷条件設定画面で「詳細設定」ボタンがクリックされた場合は、プリンタドライバは、図７に示した詳細な印刷条件を設定する画面を表示するとともに、以下のようなリモートデータ生成処理を開始する。
【００８０】
図８は、リモートデータ生成処理の流れを示したフローチャートである。リモートデータ生成処理を開始すると、先ず初めに、各種の制御パラメータの設定が完了したか否かを判断する（ステップＳ２００）。上述したように、「色濃度補正」、「紙送り補正」、「紙厚」の各制御パラメータについては、設定欄に直接数値を書き込むことにより、また、「プラテンギャップ」や、「用紙切断方法」についてはダイアログボックスから選択することによって各制御パラメータに適切な値を設定したら、画面上に設けられている「ＯＫ」ボタンをクリックする（図７参照のこと）。すると、プリンタドライバは、各種の制御パラメータの設定が完了したものと判断し（ステップＳ２００：ｙｅｓ）、これら設定値に基づいて、対応するリモートデータの生成を開始する（ステップＳ２１０）。リモートデータの内容、および各制御パラメータに基づいてリモートデータを生成する方法については後述するが、このようにして制御パラメータに適切な値を設定しておけば、たとえプリンタドライバに登録されていない印刷条件であっても、適切に画像を印刷することが可能となる。
【００８１】
もっとも、これら各種の制御パラメータを、印刷条件に応じて適切な値に設定するためには、十分な知識が必要となるので、必ずしも容易に設定できるわけではない。そこで、図７に示した専用画面から制御パラメータを直接設定する方法の他に、後述するデータセット（インポートファイルとも呼ばれることがある）を読み込んで設定する方法も用意されている。このことと対応して、「ＯＫ」ボタンがクリックされない場合は（ステップＳ２００：ｎｏ）、データセットを読み込むか否かを判断する（ステップＳ２０２）。図７に示したように、各種の制御パラメータを設定する画面には、「データセット読み込み」と表示されたボタンが設けられており、このボタンがクリックされれば、データセットを読み込むものと判断する。これに対して、「データセット読み込み」ボタンがクリックされない場合は、データセットを読み込まないものと判断し（ステップＳ２０２：ｎｏ）、再びＳ２００に戻って、各種の制御パラメータの設定が完了したか否かの判断を行う。
【００８２】
このように、リモートデータ生成処理では、「ＯＫ」ボタンか、「データセット読み込み」ボタンの何れかがクリックされるまで、こうした操作が繰り返される。そして、「ＯＫ」ボタンがクリックされた場合は、設定された制御パラメータの設定値に基づいて直ちにリモートデータが生成され（ステップＳ２１０）、一方、「データセット読み込み」ボタンがクリックされた場合は、以下に説明するようにしてデータセットから制御パラメータの設定値を読み込んだ後、読み込んだ設定値に基づいてリモートデータが生成されることになる（ステップＳ２１０）。
【００８３】
そして、図７に示した制御パラメータの設定画面上で「データセット読み込み」ボタンがクリックされると、プリンタドライバは、データセットを読み込むものと判断して（ステップＳ２０２：ｙｅｓ）、データセットを読み込む処理を開始する（ステップＳ２０４）。データセットを読み込む処理では、先ず初めに、読み込むデータセットを指定するための画面を表示する。
【００８４】
図９は、読み込むデータセットを指定する画面を例示した説明図である。図示された画面上で、データセットの場所を指定すると、記憶されているデータセット名が表示されるので、表示されたファイルの中からファイル名を指定すれば、データセットを読み込むことができる。
【００８５】
図１０は、読み込まれたデータセットのデータ構造を示した説明図である。図示されているように、データセットは複数のレコードから構成されており、最初のレコードＲ１にはファイル名が記憶され、２番目のレコードＲ２には印刷条件が、３番目のレコードＲ３にはプリンタ機種が、そして４番目のレコードＲ４には、図７を用いて前述した５つの制御パラメータに対応する５つの数値が設定されている。また、レコードＲ４に設定された最初の数値は色濃度補正値を表しており、２番目の数値は紙送り補正値を、３番目の補正値は紙厚を、４番目の数値はプラテンギャップの設定を、５番目の数値は用紙切断方法を表している。そして、色濃度補正値、紙送り補正値、紙厚については、それぞれの制御パラメータの設定値を表している。更に、プラテンギャップおよび用紙切断方法に設定されている数値は、それぞれの制御パラメータの設定内容を表している。すなわち、プラテンギャップについて設定された値「１」は「狭い」に設定されていることを、値「２」は「標準」に設定されていることを、値「３」は「広い」に設定されていることをそれぞれ表している。また、用紙切断方法について設定された値「１」は「標準」の切断方法に設定されていることを、設定値「２」は「Ａタイプ」の切断方法に設定されていることを、設定値「３」は「Ｂタイプ」の切断方法に設定されていることを、それぞれ表している。
【００８６】
このようなデータセットを読み込めば、ある機種のプリンタで、ある印刷条件で画像を印刷するためには、プリンタドライバに設定する制御パラメータを、どのような値にすればよいかを知ることができる。すなわち、レコードＲ３に設定されているプリンタ機種を用いて、レコードＲ２の印刷条件で画像を印刷するためには、レコードＲ４に設定された各制御パラメータの値をプリンタドライバに設定すればよい。
【００８７】
また、レコードＲ４に設定された数値列が、プリンタ２００に向かって出力されるリモートデータの本体部分となっている。更に、レコードＲ３には複数のプリンタ機種を設定することが可能であり、複数の機種が設定される場合は、設定される数に応じてレコードＲ３が複数の領域に分割され、それぞれの領域に１機種ずつプリンタが設定されるようになっている。結局、図１０に例示したデータセットは、次のようなことを表したファイルとなっている。すなわち、「ウルトラＡタイプ」という印刷用紙を使用して、機種名がＰＸ−１１１０，ＰＸ−１１２０，ＰＭ−Ｔ１０の何れかのプリンタを用いて画像を印刷する場合には、色濃度補正値を１９％増に、紙送り補正値を１０％増に、紙厚を０．３ｍｍに、プラテンギャップおよび用紙切断方法を何れも標準に設定すればよいことを表している。
【００８８】
また、図１０に例示したデータセットには、（１９，１０，３，２，１）の１組の制御パラメータしか設定されていないが、複数組の制御パラメータの設定値を記憶しておくことも可能である。
【００８９】
図１１は、データセットに複数組の制御パラメータが記憶されている様子を例示した説明図である。図１１に例示したデータセットも複数のレコードによって構成されており、１番目のレコードＲ１〜４番目のレコードＲ４までは、図１０に示したデータセットと同じデータ構造となっている。すなわち、１番目のレコードＲ１にはファイル名が、２番目のレコードＲ２には印刷条件が、３番目のレコードＲ３にはプリンタ機種が、４番目のレコードＲ４には１組の制御パラメータがそれぞれ設定されている。そしてこれらは、レコードＲ２に設定された印刷条件の下で、レコードＲ３に設定された機種のプリンタを用いて画像を印刷する場合には、レコードＲ４に設定された制御パラメータの値をプリンタドライバに設定すれば良いことを表している。
【００９０】
更に、図１１に例示したデータセットでは、５番目のレコードＲ５にプリンタの機種が、６番目のレコードＲ６に１組の制御パラメータが設定されている。このレコードＲ６に設定された値は、レコードＲ２に設定された印刷条件の下で、レコードＲ５に設定された機種のプリンタを用いて画像を印刷する場合に、プリンタドライバに設定すべき制御パラメータの値を表している。７番目のレコードＲ７および８番目のレコードＲ８についても同様に、レコードＲ７にはプリンタの機種が、レコードＲ８には１組の制御パラメータが設定されている。そして、レコードＲ８に設定された値は、レコードＲ２に設定された印刷条件の下で、レコードＲ７に設定された機種のプリンタを用いて画像を印刷する場合に、プリンタドライバに設定すべき制御パラメータの値を表している。このように、図１１に示したデータセットでは、レコードＲ２に設定されている印刷条件に対して、プリンタ機種が設定されたレコードおよび制御パラメータが設定されたレコードを１組ずつ追加していくことで、多くの機種に対する制御パラメータを設定することが可能となっている。
【００９１】
図８に示したリモートデータ生成処理のステップＳ２０４では、図１０あるいは図１１に示すようなデータ構造のデータセットを読み込む処理を行う。次いで、プリンタドライバは、読み込んだデータセットに設定されているデータの中に、自らのプリンタ機種に合致する機種が設定されているか否かを判断する（ステップＳ２０６）。ここで、自らのプリンタ機種とは、コンピュータ１００に接続されておりプリンタドライバによって制御されているプリンタ２００の機種を意味している。図１０あるいは図１１を用いて説明したように、データセットの所定のレコードにはプリンタ機種が設定されているので、プリンタドライバは、このレコードを参照することで、自らのプリンタ機種に合致する機種が設定されているか否かを容易に判断することが可能である。
【００９２】
そして、読み込んだデータセットの中には合致する機種が含まれていなかった場合は（ステップＳ２０６：ｎｏ）、その旨を表示した後、再びステップＳ２０４に戻って、図９に示したデータセットを読み込むための画面を表示する。一方、読み込んだデータセットの中に、プリンタドライバに合致する機種が含まれていた場合は（ステップＳ２０６：ｙｅｓ）、合致する機種についての各種制御パラメータを選択する処理を行う（ステップＳ２０８）。具体的には、データセットにはプリンタ機種のレコードおよび制御パラメータのレコードが１組となって設定されているから（図１０あるいは図１１参照）、プリンタドライバは自らの機種が設定されているレコードを検出して、そのレコードに続けて記憶されているレコードの内容を取得する処理を行う。
【００９３】
例えば、図６に示したように、プリンタドライバは自らのプリンタ機種を「ＰＸ−１１１０」と認識している。また、読み込んだデータセットが図１０に示したデータセットであったとすると、このデータセットのレコードＲ３には「ＰＸ−１１１０」が設定されている。そこで、プリンタドライバは、続くレコードＲ４に設定されている制御パラメータを取得するのである。
【００９４】
以上のようにして、各種の制御パラメータの設定値を取得したら、取得した設定値に基づいて、リモートデータの生成を開始する（ステップＳ２１０）。本実施例のリモートデータは、コマンドコードに各種制御パラメータの設定値を組み込むとともに、ヘッダなどの必要な情報を付け加えたようなデータとなっている。このため、上述したステップＳ２０８において制御パラメータの設定値を取得しておけば、容易にリモートデータを生成することが可能である。また、図７を用いて前述した詳細な印刷条件を設定する画面から、各種制御パラメータの値を直接入力した場合にも（ステップＳ２００：ｙｅｓ）、画面上から設定された値を取得することによって、容易にリモートデータを生成することが可能となる。
【００９５】
こうして印刷条件に対応するリモートデータを生成したら、プリンタドライバは、最後に各制御パラメータの設定値（すなわち、リモートデータの本体部分）を保存する処理を行う（ステップＳ２１２）。設定値を保存する処理では、先ず初めにプリンタドライバは、設定を保存するための画面を表示する。
【００９６】
図１２は、リモートデータの生成に用いた各種制御パラメータの設定値を保存するための画面を例示した説明図である。図示されているように、設定値を保存する場所を指定して、フィル名を指定した後、「保存」と表示されたボタンをクリックすると、各種制御パラメータの設定値が、指定された場所に指定されたファイル名で保存されるようになっている。
【００９７】
図１３は、リモートデータの生成に用いた各種制御パラメータの設定値が保存されるデータ構造を示した説明図である。図示されているように設定値は、前述したデータセットとほぼ同様のデータ構造で保存されている。すなわち、１番目のレコードＲ１には、保存する際に指定したファイル名が記憶され、２番目のレコードＲ２には、リモートデータの生成に際して想定された印刷条件が記憶される。また、３番目のレコードＲ３には、プリンタ機種が記憶され、４番目のレコードＲ４には、リモートデータの生成に用いた制御パラメータの設定値（リモートデータの本体部分）が記憶される。また、レコードＲ３に記憶されているプリンタ機種には、プリンタドライバ自らの機種に加えて、生成したリモートデータを共用可能なプリンタの機種も記憶されている。これら共用可能なプリンタの機種は、読み込んだデータセットの中で、プリンタドライバに合致する機種と同じレコードに記憶されていたプリンタ機種が読み込まれて用いられる。あるいは、プリンタドライバ内に、リモートデータを共用可能な機種をファイルとして記憶しておき、各種制御パラメータを保存するに際しては、かかるファイル（共用可能機種ファイル）を参照することにより、リモートデータを共用可能なプリンタ機種を設定することとしても良い。
【００９８】
図１４は、プリンタドライバが制御パラメータの設定値を保存している様子を概念的に示した説明図である。このようにして設定されたデータは、図１３に示したように、前述したデータセットと同様のデータ構造となっている。このため、設定しておいたデータを、今度はデータセットとして読み込んで、リモートデータを生成することも可能である。また、フレキシブルディスクやコンパクトディスクなどの記録媒体に保存すれば、他のプリンタドライバでデータセットとして読み込むことで、リモートデータを生成することも可能である。尚、図１４では、プリンタドライバ内に共用可能機種ファイルが記憶されており、かかるファイルを参照している様子も概念的に示してある。
【００９９】
更には、データセットを、プリンタドライバから直接アクセス可能な専用のファイルに記憶しておき、プリンタドライバから容易に読み込み可能としても良い。図１５は、このように専用のファイルに記憶されたデータセットを、プリンタドライバに読み込ませるための画面を例示した説明図である。図示した例では、既に記憶されているデータセットの名前と、各データセットで想定されている印刷条件とが表示されており、適切なデータセットを簡便に選択してプリンタドライバに読み込ませることができる。データセットを、プリンタドライバが直接アクセス可能な専用のファイルに保存しておけば、このように、より利用し易い形態で保存しておくことも可能である。
【０１００】
こうして、リモートデータの生成に用いた制御パラメータの設定値を保存したら（ステップＳ２１０）、図８に示したリモートデータ生成処理を終了する。図５に示した印刷制御処理のステップＳ１０６では、以上のようにして、詳細な印刷条件を設定する画面から設定された制御パラメータの設定値を用いて、あるいはデータセットを読み込むことによって取得した制御パラメータの設定値を用いて、印刷条件に対応するリモートデータを生成する処理を行うのである。
【０１０１】
尚、リモートデータを生成するための読み込むデータセットのデータ構造は、図１０あるいは図１１に示した構造に限られるものではなく、プリンタ機種と、各種制御パラメータの設定値とが対応づけられるのであれば、どのようなデータ構造とすることも可能である。
【０１０２】
図１６は、複数のプリンタ機種について、共通の制御パラメータと、個別の制御パラメータとが分離して記憶されているデータ構造を示す説明図である。図１６に示したデータ構造も、複数のレコードから構成されており、１番目のレコードＲ１にはファイル名が、２番目のレコードＲ２には印刷条件が設定されている。続く、３番目のレコードＲ３から１０番目のレコードＲ１０までが、プリンタ機種と制御パラメータの設定値との対応関係を記述した部分である。そして制御パラメータの設定値は、各機種で共通な部分と、機種毎に個別な部分とに分離された状態で記述されている。以下、図１６を参照しながら、具体的に説明する。
【０１０３】
図１６に示した例では、レコードＲ３には複数のプリンタ機種が設定されており、続くレコードＲ４には、制御パラメータの値が設定されている。ここで、前述したようにプリンタドライバは５つの制御パラメータを使用するのに対して、レコードＲ４には、４つの値しか設定されていない。このことは、レコードＲ３に設定された各機種で制御パラメータが共通の値を有するのは、先頭の４つのパラメータのみであり、５番目のパラメータについては、プリンタ機種毎に異なることを表している。
【０１０４】
そこで続くレコードを見ると、レコードＲ５にはプリンタ機種が設定され、レコードＲ６には５番目の制御パラメータの値が設定されている。また、レコードＲ５に設定された機種は、レコードＲ３に設定された機種の中の一部の機種となっている。従って、これらを組み合わせれば、結局、レコードＲ５に設定されたプリンタ機種の制御パラメータは、レコードＲ４に設定された４つの共通の制御パラメータに、レコードＲ６に設定された５つめの制御パラメータを組み合わせたものとなる。
【０１０５】
同様に、レコード７に設定されているプリンタ機種については、レコードＲ４に設定された４つの共通の制御パラメータに、レコードＲ８に設定された５つめの制御パラメータを組み合わせたものとなる。更に、レコード９に設定されているプリンタ機種については、レコードＲ４に設定された４つの共通の制御パラメータに、レコードＲ１０に設定された５つめの制御パラメータを組み合わせたものとなる。
【０１０６】
図１７は、上述したようにプリンタ機種間で共通な制御パラメータと、個別な制御パラメータとに分けて記憶されたデータセットを読み込んで、プリンタ機種毎の制御パラメータを再構成した様子を示した説明図である。このように制御パラメータを、機種に依らず共通な部分と、機種毎に個別な部分とに分けて記憶した場合でも、機種毎の制御パラメータを容易に再構成することができ、延いては、リモートデータを容易に生成することが可能である。
【０１０７】
Ｅ．グラフィックデータ生成処理  ：
以上、印刷制御処理の中で行われるリモートデータ生成処理（図５のステップＳ１０６）について詳しく説明した。次に、印刷制御処理中で行われるグラフィックデータ生成処理について説明する。
【０１０８】
図１８は、グラフィックデータ生成処理の流れを示すフローチャートである。かかる処理は、図５に示した印刷制御処理中で、プリンタドライバがリモートデータを準備した後、印刷しようとしている画像の画像データを読み込むと開始される処理である。以下、フローチャートに従って説明する。
【０１０９】
プリンタドライバは、グラフィックデータ生成処理を開始すると先ず初めに、読み込んだ画像データの解像度を、プリンタ２００が印刷するための解像度（印刷解像度）に変換する処理を行う（ステップＳ３００）。読み込んだ画像データの解像度が印刷解像度よりも低い場合は、隣接する画素の間に補間演算を行って新たな画像データを設定することで、より高い解像度に変換する。逆に、画像データの解像度が印刷解像度よりも高い場合は、隣接する画素の間から一定の割合で画像データを間引くことによって、より低い解像度に変換する。解像度変換処理では、このようにして、読み込んだ画像データの解像度を印刷解像度に変換する処理を行う。
【０１１０】
プリンタドライバは、画像データの解像度を印刷解像度に変換すると、色変換と呼ばれる処理を開始する（ステップＳ３０２）。色変換処理とは、Ｒ，Ｇ，Ｂの階調値の組合せによって表現されているＲＧＢ画像データを、印刷のために使用される各色の階調値の組合せによって表現された画像データに変換する処理である。前述したように、プリンタ２００はＣ，Ｍ，Ｙ，Ｋの４色のインクを用いて画像を印刷している。そこで、色変換処理ではＲＧＢ各色によって表現された印刷画像データを、Ｃ，Ｍ，Ｙ，Ｋの各色の階調値によって表現されたデータに変換する処理を行うのである。
【０１１１】
色変換処理は、色変換テーブル（ＬＵＴ）と呼ばれる３次元の数表を参照することで、迅速に行うことができる。図１９は、色変換処理のために参照される色変換テーブル（ＬＵＴ）を概念的に示した説明図である。図示されているように、直交する３つの軸にＲ軸、Ｇ軸、Ｂ軸を取って色空間を考えると、全てのＲＧＢ画像データは、必ず色空間内の座標点に対応付けて表示することができる。このことから、Ｒ軸、Ｇ軸、Ｂ軸のそれぞれを細分して色空間内に多数の格子点を設定してやれば、それぞれの格子点はＲＧＢ画像データを表していると考えることができ、各ＲＧＢ画像データに対応するＣ，Ｍ，Ｙ，Ｋ各色の階調値を、各格子点に対応付けてやることができる。ＬＵＴは、こうして色空間内に設けた格子点に、Ｃ，Ｍ，Ｙ，Ｋ各色の階調値を対応付けて記憶した３次元の数表である。ＬＵＴを参照することにより、このようなＲＧＢカラー画像データとＣ，Ｍ，Ｙ，Ｋ各色の階調データとの対応関係に基づいて色変換処理を行えば、ＲＧＢカラー画像データを、インクの各色についての階調データに迅速に変換することができる。
【０１１２】
プリンタドライバは、こうして色変換処理を終了すると、色変換後の画像データに対して色濃度補正を行う（ステップＳ３０４）。すなわち、前述したように、印刷用紙の中にはインクの発色の良い用紙や、あまり良くない用紙が存在しており、発色の良い印刷用紙を用いて印刷する場合はインク量を若干少なめに、逆に発色の良くない印刷用紙に印刷する場合にはインク量を若干多めにした方が、より好ましい画像を得ることができる。色変換後の画像データは、Ｃ，Ｍ，Ｙ，Ｋのインク各色のデータとなっており、これらデータの階調値は、インク量にほぼ対応するデータとなっている。そこでプリンタドライバは、色変換後の画像データに適切な係数を乗算することにより、インクの発色の違いを補正する処理を行うのである。「色濃度補正」として前述した制御パラメータの設定値は、こうした色濃度補正の処理において、色変換後の画像データに乗算される係数を表したものである。
【０１１３】
プリンタドライバは、こうして色濃度補正を終了すると、今度は、色補正後の画像データに対してハーフトーン処理を開始する（ステップＳ３０６）。ハーフトーン処理とは、次のような処理である。色変換処理によってインク各色のデータに変換され、色濃度補正が施された画像データは、画素毎に、階調値０から階調値２５５までの値を取ることができる。これに対してプリンタは、ドットを形成することによって画像を表示しているから、それぞれの画素についてはドットを形成するか否かの状態しか取り得ない。そこで、２５６階調を有する画像データを、画素毎にドット形成の有無によって表現されたデータ（ドットデータ）に変換しておく必要がある。ハーフトーン処理とは、このように画像データをドットデータに変換する処理である。
【０１１４】
ハーフトーン処理を行う手法としては、誤差拡散法やディザ法などの種々の手法を適用することができる。誤差拡散法は、ある画素についてドットの形成有無を判断したことでその画素に発生する階調表現の誤差を、周辺の画素に拡散するとともに、周囲から拡散されてきた誤差を解消するように、各画素についてのドット形成の有無を判断していく手法である。また、ディザ法は、ディザマトリックスにランダムに設定されている閾値と印刷画像データの階調値とを画素毎に比較して、印刷画像データの方が大きい画素にはドットを形成すると判断し、逆に閾値の方が大きい画素についてはドットを形成しないと判断することで、各画素についてのドットデータを得る手法である。何れのハーフトーン手法を適用することもできるが、本実施例のグラフィックデータ生成処理では、ディザ法を用いてハーフトーン処理を行うものとする。
【０１１５】
図２０は、ディザ法によるハーフトーン処理で参照されるディザマトリックスの一部を拡大して例示した説明図である。図示したマトリックスには、縦横それぞれ６４画素、合計４０９６個の画素に、階調値０〜２５５の範囲から万遍なく選択された閾値がランダムに記憶されている。ここで、閾値の階調値が０〜２５５の範囲から選択されているのは、本実施例では画像データが１バイトデータであり、画素に割り当てられる階調値が０〜２５５の値を取り得ることに対応するものである。尚、ディザマトリックスの大きさは、図２０に例示したように縦横６４画素分に限られるものではなく、縦と横の画素数が異なるものも含めて、種々の大きさに設定することが可能である。
【０１１６】
図２１は、ディザマトリックスを参照しながら、画素毎にドット形成の有無を判断している様子を概念的に示した説明図である。ドット形成有無の判断に際しては、先ず、判断の対象として着目している画素（着目画素）の階調値と、ディザマトリックス中の対応する位置に記憶されている閾値とを比較する。図中に示した細い破線の矢印は、着目画素の階調値を、ディザマトリックス中の対応する位置に記憶されている閾値と比較していることを模式的に表したものである。そして、ディザマトリックスの閾値よりも着目画素の階調値の方が大きい場合には、その画素にはドットを形成するものと判断する。逆に、ディザマトリックスの閾値の方が大きい場合には、その画素にはドットを形成しないものと判断する。図２１に示した例では、印刷しようとする画像の左上隅にある画素の画像データは階調値９７であり、ディザマトリックス上でこの画素に対応する位置に記憶されている閾値は１である。従って、左上隅の画素については、画像データの階調値９７の方がディザマトリックスの閾値１よりも大きいから、この画素にはドットを形成すると判断する。図２１中に実線で示した矢印は、この画素にはドットを形成すると判断して、判断結果をメモリに書き込んでいる様子を模式的に表したものである。一方、この画素の右隣の画素については、画像データの階調値は９７、ディザマトリックスの閾値は１７７であり、閾値の方が大きいので、この画素についてはドットを形成しないものと判断する。このように、画像データの階調値とディザマトリックスに設定された閾値とを比較することにより、ドットの形成有無を画素毎に決定することができる。
【０１１７】
プリンタドライバは、以上のようにして画像データをドットデータに変換すると、今度は、インターレース処理を開始する（ステップＳ３０８）。インターレース処理とは、プリンタ２００がインク吐出用ヘッド２４４を往復動させながら実際にドットを形成する順序を考慮して、画素の順番で並んでいるドットデータを、ドットが形成される順番に並べ替える処理である。こうしてインターレース処理まで行ってからプリンタに供給してやれば、プリンタでは供給されたデータに従ってドットを形成するだけで画像を印刷することが可能となる。
【０１１８】
インターレース処理を終了すると、プリンタドライバは、図１８に示したグラフィックデータ生成処理を終了して、図５の印刷制御処理に復帰する。前述したように印刷制御処理では、既に取得されているリモートデータおよび生成したグラフィックデータを、印刷制御データとしてプリンタ２００に供給する。こうして供給された印刷制御データに従って、プリンタ２００の動作が適切に制御され、その結果、適切に画像が印刷されることになる。
【０１１９】
以上に詳しく説明したように、本実施例では、プリンタドライバに予め複数の印刷条件が登録されており、その中から希望する印刷条件を選択するだけで、適切に画像を印刷することが可能である。希望する印刷条件が登録されていない場合は、専用の設定画面を開いて、各種の制御パラメータに適切な値を設定することで、適切に画像を印刷することができる。もっとも、印刷条件に応じて制御パラメータに適切な値を設定することは必ずしも容易なことではない。
【０１２０】
こうした点に鑑みて、本実施例では、各種の制御パラメータの設定値が記憶されたデータセットを読み込むことにより、適切な値を設定することも可能となっている。加えて、本実施例で読み込むデータセットには、各種の制御パラメータの設定値が、プリンタの機種に対応づけて設定されている。そして、プリンタドライバは、自らの機種に対応づけて設定されている制御パラメータの値を選択して、プリンタの制御に使用するようになっている。このため、プリンタの機種を意識することなく、各種制御パラメータに、印刷条件に応じた適切な値を設定することが可能となるのである。
【０１２１】
以上、各種の実施例について説明したが、本発明は上記すべての実施例に限られるものではなく、その要旨を逸脱しない範囲において種々の態様で実施することができる。
【図面の簡単な説明】
【０１２２】
【図１】コンピュータおよびプリンタによって構成された印刷システムを用いて本実施例の概要を示した説明図である。
【図２】印刷制御データをプリンタに供給したりあるいはデータセットを生成するコンピュータの構成を示す説明図である。
【図３】印刷用紙上に画像を印刷するプリンタの概略構成を示す説明図である。
【図４】インク吐出用ヘッドの底面にインク滴を吐出する複数のノズルが形成されている様子を示した説明図である。
【図５】コンピュータ内で行われる印刷制御処理の流れを示すフローチャートである。
【図６】プリンタドライバに印刷条件を設定する画面を例示した説明図である。
【図７】詳細な印刷条件を設定するための画面を例示した説明図である。
【図８】リモートデータ生成処理の流れを示したフローチャートである。
【図９】読み込むデータセットを指定する画面を例示した説明図である。
【図１０】読み込まれたデータセットのデータ構造を示した説明図である。
【図１１】データセットに複数組の制御パラメータが記憶されている様子を例示した説明図である。
【図１２】リモートデータの生成に用いた各種制御パラメータの設定値を保存するための画面を例示した説明図である。
【図１３】リモートデータの生成に用いた各種制御パラメータの設定値が保存されるデータ構造を示した説明図である。
【図１４】プリンタドライバが制御パラメータの設定値を保存している様子を概念的に示した説明図である。
【図１５】既存のデータセットをプリンタドライバに読み込ませるための画面を例示した説明図である。
【図１６】複数のプリンタ機種について共通の制御パラメータと個別の制御パラメータとが分離して記憶されているデータ構造を示す説明図である。
【図１７】プリンタ機種間で共通な制御パラメータと個別な制御パラメータとに分けて記憶されたデータセットから、プリンタ機種毎の制御パラメータを再構成した様子を示した説明図である。
【図１８】グラフィックデータ生成処理の流れを示すフローチャートである。
【図１９】色変換処理のために参照される色変換テーブル（ＬＵＴ）を概念的に示した説明図である。
【図２０】ディザ法によるハーフトーン処理で参照されるディザマトリックスの一部を拡大して例示した説明図である。
【図２１】ディザマトリックスを参照しながら画素毎にドット形成の有無を判断している様子を概念的に示した説明図である。
【符号の説明】
【０１２３】
１０…コンピュータ、  ２０…プリンタ、  １００…コンピュータ
２００…プリンタ、  ２３０…キャリッジモータ、  ２４０…キャリッジ、
２４１…印字ヘッド、  ２４２…インクカートリッジ  ２４３…インクカートリッジ、  ２４４…インク吐出用ヘッド、２６０…制御回路
【図１】
2006252103.tif 000003
【図２】
2006252103.tif 000004
【図３】
2006252103.tif 000005
【図４】
2006252103.tif 000006
【図５】
2006252103.tif 000007
【図６】
2006252103.tif 000008
【図７】
2006252103.tif 000009
【図８】
2006252103.tif 000010
【図９】
2006252103.tif 000011
【図１０】
2006252103.tif 000012
【図１１】
2006252103.tif 000013
【図１２】
2006252103.tif 000014
【図１３】
2006252103.tif 000015
【図１４】
2006252103.tif 000016
【図１５】
2006252103.tif 000017
【図１６】
2006252103.tif 000018
【図１７】
2006252103.tif 000019
【図１８】
2006252103.tif 000020
【図１９】
2006252103.tif 000021
【図２０】
2006252103.tif 000022
【図２１】
2006252103.tif 000023